(57)【要約】【課題】車載装置において、有効期限が終了したコンテンツを保持しておく場合に、大容量の記憶手段を設ける必要が生じるという不都合を極力解消する。【解決手段】路側装置から、有効期限が設定され得るコンテンツの配信を受ける車載装置であって、配信を受けたコンテンツを保持するための記憶手段と、記憶手段において保持しているコンテンツを再生する再生手段と、再生手段によるコンテンツの再生に際し、再生画面を表示するための表示手段とを備えたものにおいて、記憶手段において保持されているコンテンツについて有効期限が終了しているか否かを判定する判定手段（ステップＳ７３、Ｓ７４）と、判定手段により有効期限が終了していると判定されたコンテンツを構成するデータのうちの所定のものを削除する削除手段（ステップＳ７５）とを設ける。【選択図】図１７
2010039755.tif 000002
【特許請求の範囲】
【請求項１】
路側装置から、有効期限が設定され得るコンテンツの配信を受ける車載装置であって、
配信を受けたコンテンツを保持するための記憶手段と、
前記記憶手段において保持しているコンテンツを再生する再生手段と、
前記再生手段によるコンテンツの再生に際し、再生画面を表示するための表示手段と、
前記記憶手段において保持されているコンテンツについて有効期限が終了しているか否かを判定する判定手段と、
前記判定手段により有効期限が終了していると判定されたコンテンツを構成するデータのうちの所定のデータを削除する削除手段とを具備することを特徴とする車載装置。
【請求項２】
前記コンテンツを構成するデータとして、該コンテンツの次に再生可能なコンテンツを特定する次特定データが含まれており、
前記削除手段により削除される所定のデータには、前記次に再生可能なコンテンツに関する情報を表示するためのデータが含まれており、
前記再生手段は、再生しようとするコンテンツのデータにおいて前記所定のデータが前記削除手段により削除されている場合には、該コンテンツの再生に際し、該コンテンツの前記次特定データに基づき、次に再生可能なコンテンツの再生画面に遷移するための遷移ボタンを表示するとともに、該次に再生可能なコンテンツのデータから該コンテンツに関する情報を取得し、該遷移ボタンに付随させて表示するものであることを特徴とする請求項１に記載の車載装置。
【請求項３】
前記削除手段による削除は、車載装置の起動時に行われることを特徴とする請求項１又は２に記載の車載装置。
【請求項４】
所定の識別情報が付与されており、識別情報毎に更新され得るコンテンツの配信を路側装置から受ける車載装置であって、
配信を受けたコンテンツを保持するための記憶手段と、
車載装置の現在位置をその近傍の地図とともに表示するナビゲーション手段とを備え、
前記コンテンツを構成するデータには、該コンテンツに関連する場所を前記ナビゲーション手段により表示される地図上に表示するためのアイコンのデータが含まれており、
前記車載装置はさらに、前記記憶手段において保持されているコンテンツ中の前記識別情報が同一である各コンテンツのうち最新のもの以外のものの前記アイコンデータを削除する削除手段を具備することを特徴とする車載装置。
【請求項５】
車載装置に対して有効期限の設定が可能なコンテンツの配信を路側装置を介して行うセンタ装置であって、
前記コンテンツを構成するデータを作成するデータ作成手段を備え、
前記コンテンツを構成するデータには、該コンテンツの次に再生可能なコンテンツを特定する次特定データ、該次のコンテンツに関する情報を表示するための画像データ、及び該次のコンテンツに関する情報を表示するための文字データが含まれており、
前記コンテンツは、前記車載装置に対して配信され、再生される際に、該再生コンテンツにおける前記画像データが削除されている場合には、該再生コンテンツの前記次特定データに基づいて次に再生可能なコンテンツの再生画面に遷移するための遷移ボタンを表示するとともに、該再生コンテンツの前記文字データに基づく表示を該遷移ボタンに付随させて行うために用いられることを特徴とするセンタ装置。
【請求項６】
路側装置から、有効期限が設定され得るコンテンツの配信を受ける車載装置におけるコンテンツ削除方法であって、
配信を受けたコンテンツを保持するために該コンテンツを構成するデータを記憶手段に記憶する記憶工程と、
前記記憶手段において保持されているコンテンツについて有効期限が終了しているか否かを判定する判定工程と、
前記判定工程により有効期限が終了していると判定されたコンテンツを構成するデータのうちの所定のデータを削除する削除工程とを具備することを特徴とするコンテンツ削除方法。
【請求項７】
所定の識別情報が付与されており、識別情報毎に更新され得るコンテンツの配信を路側装置から受ける車載装置におけるコンテンツ削除方法であって、
配信を受けたコンテンツを保持するために該コンテンツを構成するデータを記憶手段に記憶する記憶工程と、
車載装置の現在位置をその近傍の地図とともに表示するナビゲーション工程とを備え、
前記コンテンツを構成するデータには、該コンテンツに関連する場所を前記ナビゲーション工程により表示される地図上に表示するためのアイコンのデータが含まれており、
前記記憶領域節約方法はさらに、前記記憶手段において保持されているコンテンツ中の前記識別情報が同一である各コンテンツのうち最新のもの以外のものの前記アイコンデータを削除する削除工程を具備することを特徴とするコンテンツ削除方法。
【請求項８】
車載装置に対して有効期限の設定が可能なコンテンツの配信を路側装置を介して行うセンタ装置におけるコンテンツデータ作成方法であって、
前記コンテンツを構成するデータを作成するデータ作成工程を備え、
前記コンテンツを構成するデータには、該コンテンツの次に再生可能なコンテンツを特定する次特定データ、該次のコンテンツに関する情報を表示するための画像データ、及び該次のコンテンツに関する情報を表示するための文字データが含まれており、
前記コンテンツは、前記車載装置に対して配信され、再生される際に、該再生コンテンツにおける前記画像データが削除されている場合には、該再生コンテンツの前記次特定データに基づいて次に再生可能なコンテンツの再生画面に遷移するための遷移ボタンを表示するとともに、該再生コンテンツの前記文字データに基づく表示を該遷移ボタンに付随させて行うために用いられることを特徴とするコンテンツデータ作成方法。
【発明の詳細な説明】
【技術分野】
【０００１】
本発明は、路側装置からコンテンツの配信を受ける車載装置、車載装置に対してコンテンツを配信するセンタ装置、車載装置におけるコンテンツ削除方法、及びセンタ装置におけるコンテンツデータ作成方法に関する。
【背景技術】
【０００２】
従来、ＤＳＲＣ（狭域通信）を利用した情報提供システムとして、たとえば、路上機が提供する決済情報、交通情報、広告情報等を車載器が受信して格納し、格納した情報を、車載器がユーザに対して提示するようにしたものが知られている（たとえば、特許文献１参照）。
【０００３】
【特許文献１】特開２００７−１７４５２０号公報
【発明の開示】
【発明が解決しようとする課題】
【０００４】
しかしながら、上述の従来技術によれば、多数の情報を車載器が受信した場合、その情報を記憶しておくための記憶領域を大量に使用するので、大容量の記憶装置を車載器に搭載しなければならない。
【０００５】
本発明の目的は、かかる従来技術の問題点に鑑み、車載器において、多くの情報を受信し、保持しておく場合に、大容量の記憶手段を設ける必要が生じるという不都合を解消することにある。
【課題を解決するための手段】
【０００６】
この目的を達成するため、第１の発明に係る車載装置は、路側装置から、有効期限が設定され得るコンテンツの配信を受ける車載装置であって、配信を受けたコンテンツを保持するための記憶手段と、前記記憶手段において保持しているコンテンツを再生する再生手段と、前記再生手段によるコンテンツの再生に際し、再生画面を表示するための表示手段と、前記記憶手段において保持されているコンテンツについて有効期限が終了しているか否かを判定する判定手段と、前記判定手段により有効期限が終了していると判定されたコンテンツを構成するデータのうちの所定のデータを削除する削除手段とを具備することを特徴とする。
【０００７】
第２の発明に係る車載装置は、第１発明において、前記コンテンツを構成するデータとして、該コンテンツの次に再生可能なコンテンツを特定する次特定データが含まれており、前記削除手段により削除される所定のデータには、前記次に再生可能なコンテンツに関する情報を表示するためのデータが含まれており、前記再生手段は、再生しようとするコンテンツのデータにおいて前記所定のデータが前記削除手段により削除されている場合には、該コンテンツの再生に際し、該コンテンツの前記次特定データに基づき、次に再生可能なコンテンツの再生画面に遷移するための遷移ボタンを表示するとともに、該次に再生可能なコンテンツのデータから該コンテンツに関する情報を取得し、該遷移ボタンに付随させて表示するものであることを特徴とする。
【０００８】
第３の発明に係る車載装置は、第１又は第２発明において、前記削除手段による削除は、車載装置の起動時に行われることを特徴とする。
【０００９】
第４の発明に係る車載装置は、所定の識別情報が付与されており、識別情報毎に更新され得るコンテンツの配信を路側装置から受ける車載装置であって、配信を受けたコンテンツを保持するための記憶手段と、車載装置の現在位置をその近傍の地図とともに表示するナビゲーション手段とを備え、前記コンテンツを構成するデータには、該コンテンツに関連する場所を前記ナビゲーション手段により表示される地図上に表示するためのアイコンのデータが含まれており、前記車載装置はさらに、前記記憶手段において保持されているコンテンツ中の前記識別情報が同一である各コンテンツのうち最新のもの以外のものの前記アイコンデータを削除する削除手段を具備することを特徴とする。
【００１０】
第５の発明に係るセンタ装置は、車載装置に対して有効期限の設定が可能なコンテンツの配信を路側装置を介して行うセンタ装置であって、前記コンテンツを構成するデータを作成するデータ作成手段を備え、前記コンテンツを構成するデータには、該コンテンツの次に再生可能なコンテンツを特定する次特定データ、該次のコンテンツに関する情報を表示するための画像データ、及び該次のコンテンツに関する情報を表示するための文字データが含まれており、前記コンテンツは、前記車載装置に対して配信され、再生される際に、該再生コンテンツにおける前記画像データが削除されている場合には、該再生コンテンツの前記次特定データに基づいて次に再生可能なコンテンツの再生画面に遷移するための遷移ボタンを表示するとともに、該再生コンテンツの前記文字データに基づく表示を該遷移ボタンに付随させて行うために用いられることを特徴とする。
【００１１】
第６の発明に係るコンテンツ削除方法は、路側装置から、有効期限が設定され得るコンテンツの配信を受ける車載装置におけるコンテンツ削除方法であって、配信を受けたコンテンツを保持するために該コンテンツを構成するデータを記憶手段に記憶する記憶工程と、前記記憶手段において保持されているコンテンツについて有効期限が終了しているか否かを判定する判定工程と、前記判定工程により有効期限が終了していると判定されたコンテンツを構成するデータのうちの所定のデータを削除する削除工程とを具備することを特徴とする。
【００１２】
第７の発明に係るコンテンツ削除方法は、所定の識別情報が付与されており、識別情報毎に更新され得るコンテンツの配信を路側装置から受ける車載装置におけるコンテンツ削除方法であって、配信を受けたコンテンツを保持するために該コンテンツを構成するデータを記憶手段に記憶する記憶工程と、車載装置の現在位置をその近傍の地図とともに表示するナビゲーション工程とを備え、前記コンテンツを構成するデータには、該コンテンツに関連する場所を前記ナビゲーション工程により表示される地図上に表示するためのアイコンのデータが含まれており、前記記憶領域節約方法はさらに、前記記憶手段において保持されているコンテンツ中の前記識別情報が同一である各コンテンツのうち最新のもの以外のものの前記アイコンデータを削除する削除工程を具備することを特徴とする。
【００１３】
第８の発明に係るコンテンツデータ作成方法は、車載装置に対して有効期限の設定が可能なコンテンツの配信を路側装置を介して行うセンタ装置におけるコンテンツデータ作成方法であって、前記コンテンツを構成するデータを作成するデータ作成工程を備え、前記コンテンツを構成するデータには、該コンテンツの次に再生可能なコンテンツを特定する次特定データ、該次のコンテンツに関する情報を表示するための画像データ、及び該次のコンテンツに関する情報を表示するための文字データが含まれており、前記コンテンツは、前記車載装置に対して配信され、再生される際に、該再生コンテンツにおける前記画像データが削除されている場合には、該再生コンテンツの前記次特定データに基づいて次に再生可能なコンテンツの再生画面に遷移するための遷移ボタンを表示するとともに、該再生コンテンツの前記文字データに基づく表示を該遷移ボタンに付随させて行うために用いられることを特徴とする。
【発明の効果】
【００１４】
本発明によれば、車載装置の記憶手段において、多数のコンテンツを受信し、保持しておく場合に、大容量の記憶手段を設ける必要が生じるという不都合を極力解消することができる。
【発明を実施するための最良の形態】
【００１５】
図１は本発明の一実施形態に係る路車間ＤＳＲＣシステム１０の概略図である。路車間ＤＳＲＣシステム１０は、タウンカーライフナビによる情報提供サービスに利用され、そのサービスにおいては、タウンカーライフナビマルチコンテンツ形式のデータが用いられる。路側機１１は、サーバ１２と共に路側装置１５を構成し、有線又は無線でサーバ１２へ接続されている。サーバ１２は、さらに、インターネット等のネットワークを介して別のサーバとデータを送受自在になっている。路側機１１は、直径がほぼ数ｍ〜３０ｍのエリアに存在する自動車１３に搭載されているＩＴＳ車載器１７とは５．８ＧＨｚ帯の電波を使ってデータを送受する。ＩＴＳ車載器１７はＤＳＲＣ部１８及びナビ部１９を有している。
【００１６】
図２はタウンカーライフナビマルチコンテンツ形式のデータ伝送態様の説明図である。マルチコンテンツ形式のダウンリンクでは、データをその種類に応じて分類し、分類ごとにＩＤコード（大区分ＩＤ）「００」、「０１」、「０２」、・・・を割り振っている。マルチコンテンツ形式のデータ伝送では、データが情報グループを単位に括られ、各情報グループは先頭にＩＤコードが「００」（以下、「ＩＤ＝００」のように記す。）の分類データをもつ。ＩＤ＝００の分類データは、その情報グループに含まれているＩＤにはどのようなものがあるかを示す構成情報となっている。
【００１７】
図３は情報グループの構成について各ＩＤが必須か任意かを示す図である。ＩＤ＝００、０１、０２は、各情報グループに必ず含めなければならない。ＩＤ＝０３、０４、０５は、ＩＤ＝６０のみの情報提供の場合には情報グループに含める必要はないが、その他の情報提供の場合には、情報グループに必ず含める必要がある。その他のＩＤは情報グループに含めるか否かは任意である。
【００１８】
図４〜図７はダウンリンクで使用する各ＩＤに割り当てる分類表である。ＩＤ＝００は構成ＩＤ情報（各情報グループがどのようなＩＤを格納しているかを記述する領域）の分類となっている。ＩＤ＝０１は、事業者の分類となっており、サービス事業者コード（サービス事業者を特定できる事業者コード）、サービス事業者表示テキスト（ナビ表示用サービス事業社名(サービス名)テキスト情報）、及びサービス事業者表音文字列（ナビ発話用サービス事業社名(サービス名)表音文字列情報）を含む。
【００１９】
ＩＤ＝０２はコンテンツの分類となっており、企業コード（コンテンツの情報提供元を特定できるコード）、企業表示テキスト（ナビ表示用情報提供企業名テキスト情報）、企業表音文字列（ナビ発話用情報提供企業名表音文字列情報）、情報コード（コンテンツを特定できる情報コード）、情報表示テキスト（ナビ表示用コンテンツ内容テキスト情報）、情報表音文字列（ナビ発話用コンテンツ内容表音文字列情報）、及び嗜好データカテゴリー（情報が該当する情報カテゴリーを示すカテゴリーコード）を含む。
【００２０】
ＩＤ＝０３は、ＩＤ＝０２と同様に、コンテンツの分類となっており、即時再生／蓄積コード（受信後のコンテンツ再生動作を表すコード）、及び再生条件コード（情報提供エリアでのコンテンツ再生条件を示すコード）を含む。
【００２１】
ＩＤ＝０４は、有効期限の分類となっており、開始年月日時分秒（コンテンツの有効期限）、及び終了年月日時分秒（コンテンツの有効期限）を含む。ＩＤ＝０５は、提供時間の分類となっており、営業時間（コンテンツ提供元の営業時間）、及び情報提供時間（コンテンツ提供時間）を含む。
【００２２】
ＩＤ＝１０は、対象地点の分類となっており、項目有無情報（対象地点、テキスト、画像、表音文字、圧縮音声、ビデオ、アイコンの有無情報、及びマルチメディアフラグ）、対象地点座標（サービス提供可能な地点の緯度経度情報）、対象地点表示用テキスト（サービス名称(店舗名称等)）、提携駐車場情報（対象地点以外の提携駐車場情報）、アイコン表示画像データ（サービス提供可能な場所を表すアイコンのデータ）、表示用文字データ（サービスの説明用テキスト情報）、表示画像データ（サービスを表す静止画情報）、表音文字列データ（サービスを表す表音文字列情報）、圧縮音声データ（圧縮音声データ情報）、音声再生順（表音文字列と圧縮音声の再生順序を表す）、ビデオデータ（ビデオデータ情報）、及びＵＲＬ（サービスを表すＵＲＬ情報）を含む。マルチメディアフラグが立っていた場合、ＩＤ＝１０に限り、表示画像はジャケ写（圧縮音声は楽曲）若しくはサムネイル（ビデオはＰＶ）、テキストはアーティスト名、楽曲名と判断する。
【００２３】
ＩＤ＝２０は、情報提供地点の分類となっており、計５個の情報提供地点について、情報提供中心座標（ポップアップ情報を再生する緯度経度情報）、情報提供エリア（ポップアップ情報を再生するエリアを定義する中心座標からの半径情報）、情報提供方向コード（ポップアップ情報を再生する情報提供方向情報）、情報提供道路種別（ポップアップ情報を再生する道路種別情報）、表示画像データ（ポップアップ再生する静止画のデータ）、表音文字列データ（ポップアップ再生する表音文字列情報、圧縮音声データポップアップ再生する圧縮音声のデータ）、及び音声再生順（ポップアップ再生する音声データの再生順番を表すコード）を含む。
【００２４】
ＩＤ＝３０は、遷移情報の分類となっており、計８個の次再生情報コード（画面遷移情報）を含む。ＩＤ＝４０は、詳細情報の分類となっており、計８個の各詳細情報について、表示用文字データ（ナビ表示用詳細情報テキスト情報）、及び発話用表音文字列（ナビ発話用詳細情報表音文字列情報）を含む。
【００２５】
ＩＤ＝５０は、駐車場情報の分類となっており、最大１５個の各駐車場について、駐車場ＩＤ（駐車場を特定できるＩＤ）、詳細情報（駐車場の動的詳細情報）、特記事項（駐車場の特記事項）、及び特記事項表音文字列（ナビ発話用特記事項表音文字列）を含む。
【００２６】
ＩＤ＝５１は、ナビ部１９に格納されている駐車場の静的情報を３次メッシュ単位で最大４メッシュ分更新することが可能になる。ＩＤ＝５１は、３次メッシュ数（更新する駐車場静的情報を含む３次メッシュ数を通知するもの）、１〜４の各メッシュについて、３次メッシュコード（更新する駐車場静的情報を含む３次メッシュコード）、３次メッシュバージョン情報（更新する駐車場静的情報が含まれる３次メッシュのバージョン情報）、３次メッシュ駐車場数（更新するメッシュに含まれる駐車場静的情報数）、３次メッシュ駐車場静的情報（更新する駐車場の静的情報）を含む。
【００２７】
ＩＤ＝５２は削除駐車場ＩＤ情報である。メッシュ単位で駐車場情報をすべて（新設／削除）更新する場合はこの情報は用いない。ＩＤ＝５２は、３次メッシュ数（削除する駐車場ＩＤ情報を含む３次メッシュ数を通知するもの）、３次メッシュコード（削除する駐車場ＩＤ情報を含む３次メッシュコード）、３次メッシュバージョン情報（削除する駐車場ＩＤ情報が含まれる３次メッシュのバージョン情報；ＩＤ＝５１で同時に通知される静的情報のバージョンと同一のものとする）、３次メッシュ駐車場数（更新するメッシュに含まれる駐車場静的情報数）、及び３次メッシュ削除駐車場ＩＤ情報（削除する駐車場ＩＤ情報）を含む。
【００２８】
ＩＤ＝６０は、運転支援の分類であり、運転支援画像データ（運転支援画像情報）、運転支援表音文字列（データ運転支援表音文字列情報）、運転支援圧縮音声（データ運転支援圧縮音声情報）、及び音声再生順（表音文字列と圧縮音声の再生順序を表す）が含まれる。
【００２９】
ＩＤ＝８０は、嗜好データの分類であり、計１２７個の各嗜好データのテーブルについて、嗜好データバージョン（嗜好データのテーブルのバージョン情報）、嗜好データテーブル（
嗜好データのテーブルの表示用テキスト情報）、表音文字列（嗜好データのテーブルの発話用表音文字列情報）、及び詳細情報（嗜好データのテーブルの詳細情報）が含まれる。
【００３０】
図８は路側装置１５−ＩＴＳ車載器１７間のトランザクションで実施される各機器間の通信及び処理を示している。路側機１１及びサーバ１２は路側装置１５を構成する。ＩＴＳ車載器１７はＤＳＲＣ部１８及びナビ部１９を有している。時間順に説明する。なお、路側機１１−ＤＳＲＣ部１８間の通信はＤＳＲＣの電波で行われ、路側機１１−サーバ１２間及びＤＳＲＣ部１８−ナビ部１９間の通信は通常、ケーブルで行われる。
【００３１】
ＩＴＳ車載器１７において電源が投入されるのに伴い、Ｓ１０では、ナビ部１９からＤＳＲＣ部１８へクライアントインフォメーションデータが書き込まれる。ＩＴＳ車載器１７を搭載する自動車１３が路側機１１との通信可能な距離（例：約３０ｍ）の電波到達エリアに進入（エリアイン）するのに伴い、Ｓ１１では、路側機１１−ＤＳＲＣ部１８間でＤＳＲＣ接続処理が実施される。
【００３２】
Ｓ１１のＤＳＲＣ接続処理が終了すると、Ｓ１２、Ｓ１３でＤＳＲＣ接続通知が行われる。Ｓ１２の接続通知は路側機１１からサーバ１２へのものであり、Ｓ１３の接続通知はＤＳＲＣ部１８からナビ部１９へのものである。Ｓ１４では、クライアントインフォメーションがＤＳＲＣ部１８から路側機１１を経てサーバ１２へ通知される。
【００３３】
サーバ１２は、ＤＳＲＣ部１８からのクライアントインフォメーション通知に基づきＩＴＳ車載器１７のユーザが会員か非会員かを判別したり、ＩＴＳ車載器１７でコンテンツを適正に再生するためのＩＴＳ車載器１７のハードウェア情報を知得する。Ｓ１８では、サーバ１２から路側機１１及びＤＳＲＣ部１８を経てナビ部１９へＷｅｌｃｏｍｅ画面等のコンテンツを送信する。該コンテンツはマルチコンテンツフォーマットで編成されている。ナビ部１９は、マルチコンテンツフォーマットからサービス事業者を判断する。
【００３４】
サーバ１２は、Ｓ１８後、ナビ部１９がアップリンク情報をＤＳＲＣ部１８に書き込む（Ｓ２０）まで、Ｓ１９でＤＳＲＣ部１８に対して定期的にメモリアクセスポーリングを行う。Ｓ１９は１回目のポーリングを示している。この図の例では、Ｓ２０によりアップリンク情報が書き込まれる前にポーリングが行われたので、アップリンク情報は得られていない。Ｓ２０では、ナビ部１９は、該サービス事業者の会員であれば、アップリンク情報をＤＳＲＣ部１８に書き込むのに対し、会員でなければ、何もしない。
【００３５】
Ｓ２４では、サーバ１２は、路側機１１及びＤＳＲＣ部１８を経由してデフォルトのコンテンツをナビ部１９へ送る。Ｓ２９は２回目のメモリアクセスポーリングを示している。この時点ではＳ２０によりＤＳＲＣ部１８にアップリンク情報が書き込まれているので、ＤＳＲＣ部１８は、ユーザが会員であれば、アップリンク情報をサーバ１２へ通知する。
【００３６】
Ｓ３３では、サーバ１２は、アップリンク情報から取得した会員情報に基づき会員趣向に適した蓄積型コンテンツをマルチコンテンツフォーマット（図２）で編成してＩＴＳ車載器１７へ配信する。後述するように、路側装置１５は、Ｓ３３の期間中、蓄積型コンテンツの配信を１回以上、中断して、即時再生型コンテンツの配信を割込ませる。Ｓ３４では、蓄積型コンテンツの配信終了を通知する。ＩＴＳ車載器１７を搭載する自動車１３は、配信終了に伴い路側機１１との通信エリアから退出する。
【００３７】
図９はＩＴＳ車載器１７から路側装置１５へ送られるアップリンク情報のデータ説明図である。アップリンク情報は、複数のタグで送られる。タグ１には、サービス事業者コード、目的地（緯度経度）、経由地（緯度経度）１〜５、累計走行距離、嗜好ジャンルデータバージョン、嗜好ジャンルデータ、会員情報１〜８が含められる。タグ２には、サービス事業者コード、過去立寄り地（緯度経度）１〜４１が含められる。タグ３には、サービス事業者コード、過去立寄り地（緯度経度）４２〜８２が含められる。
【００３８】
タグ４には、サービス事業者コード、受信／再生履歴（受信情報コード及び再生識別フラグ）１〜１２３が含められる。タグ５には、サービス事業者コード、受信／再生履歴（受信情報コード及び再生識別フラグ）１２４〜２４６が含められる。
【００３９】
図１０はＩＤ＝８０の嗜好データの一例をテーブル表現した説明図である。嗜好データは、嗜好データ番号、嗜好データ表示用テキスト、嗜好データ表示用ネスト、嗜好データ対象識別子、嗜好データデフォルト値、表音文字列により構成される。嗜好データ番号は、０〜１２７の最大、計１２８個存在し、サービス業者が各データ番号の項目を自由に設定することができる。１２８の項目の内、最大９６項目がＳ３０（図４）でＩＴＳ車載器１７から路側装置１５へアップリンク情報として通知される。
【００４０】
アップリンク情報として通知される９６項目中、１２項目は、公共情報提供サービス目的に利用され、ＤＳＲＣ通信において情報提供を行う際にはデフォルトで配信する情報項目となっている。図１０の嗜好データテーブルにおいて、表示用ネストは、各項目（図１０のデータ番号に対応する。）の階層を意味し、大きい数値ほど、下の階層を意味している。対象識別子は、それが「０」となっている項目は、ナビ部１９における嗜好データのチェック付け画面（後述の図１１）においてチェック対象となっていないことを意味し、それが「１」となっている項目は、該チェック付け画面においてチェック対象となっていることを意味する。デフォルト値は、それが「０」となっている項目は、チェック付けの初期画面にチェック無しで表示することを意味し、それが「１」となっている項目は、チェック付けの初期画面にチェック有りで表示することを意味する。
【００４１】
図１１は路側装置１５から嗜好データを受信したＩＴＳ車載器１７がナビ部１９の表示器に表示するチェック付けの画面の一例である。ユーザはスクロールバー２３をドラッグすることにより画面を上下方向へスクロールすることができる。図１１において、ユーザがオンボタンをクリックすると、チェックを付けたことになり、オフボタンをクリックすると、チェックを外したことになる。各項目において、「オン」及び「オフ」の内、字体が斜体になっている方をユーザが選択したことを意味している。受信した嗜好データのデフォルト値が「０」（例：図１０のバーゲン情報及びクーポン情報）である項目はオフ（チェック無し）となっており、また、受信した嗜好データのデフォルト値が「１」（例：図１０の駐車場情報）である項目はオン（チェック有り）となっている。
【００４２】
図１２は路側機１１の構成を示すブロック図である。同図に示すように、路側機１１は必要な処理を行い、路側機１１の各部を制御する制御部１１１、制御部１１１が実行するプログラム等を記憶するＲＯＭ１１２、制御部１１１が使用するＲＡＭ１１３、制御部１１１が補助記憶装置として使用する記憶装置１１４、制御部１１１がＩＴＳ車載器１７との間でＤＳＲＣ通信を行うための無線通信部１１５、及び制御部１１１がサーバ１２との間でＩＴＳ通信網（高度道路交通システム通信網）２０を介して通信を行うための通信制御部１１６を備える。なお、サーバ１２は、路側機１１を介してＩＴＳ車載器１７に対するコンテンツの配信を行う他、ＩＴＳ車載器１７からのアップリンク情報に関する処理等も行うセンタ装置として機能する。
【００４３】
図１３はＩＴＳ車載器１７の構成を示すブロック図である。同図に示すように、ＩＴＳ車載器１７は、必要な処理を行い、ＩＴＳ車載器１７の各部を制御する制御部１７１、制御部１７１が実行するプログラム等を記憶するＲＯＭ１７２、制御部１７１が処理に際して使用するＲＡＭ１７３、制御部１７１が補助記憶装置として使用する記憶装置１７４、制御部１７１が無線通信を行うための通信部１７５、制御部１７１に対して操作入力により指示を与えるための操作部１７６、制御部１７１がユーザに対して通知する情報を表示するための表示部１７７、ユーザが制御部１７１に対して音声入力により指示を与えるためのマイク１７８、制御部１７１がユーザに対し音声出力により情報を通知するためのスピーカ１７９、マイク１７８及びスピーカ１７９と、制御部１７１との間に介在し、音声認識や音声合成等の処理を行う音声処理部１８０、並びに制御部１７１と、センサ群１８１との間に介在し、センサ群１８１からの出力を制御部１７１に受け渡す入出力装置１８２を備える。
【００４４】
通信部１７５は、ＧＰＳ衛星から送出される電波を受信して測位演算を実行し、測位情報を出力するＧＰＳモジュール１７５ａ、及び路側機１１１との間でＤＳＲＣ通信を行うためのＤＳＲＣモジュールを備える。センサ群１８１は車速センサ、ジャイロセンサ、パーキングセンサ等により構成される。制御部１７１は記憶装置１７４に記憶されている地図データベースを参照し、ＧＰＳモジュール１７５ａやセンサ群１８１からの情報に基づき、ナビゲーション機能も営む。
【００４５】
図１４はＩＴＳ車載器１７の表示部１７７において表示されるコンテンツの画面の一例を示す。図中の１４１は当該コンテンツの「対象地点情報」（ＩＤ＝１０）中の「表示画像データ」に基づいて表示された部分、１４２は該コンテンツの「遷移情報」（ＩＤ＝３０）における「次再生情報コード１」〜「次再生情報コード８」に基づいて生成された遷移ボタンである。「次再生情報コード１」〜「次再生情報コード８」には当該コンテンツの次に再生可能なコンテンツの「情報コード」（ＩＤ＝０２）が８つまで設定可能となっている。つまり、「情報コード」毎にコンテンツが存在するので、次に再生されるコンテンツも「情報コード」により特定される。遷移ボタン１４２は「情報コード」が設定されており、かつその「情報コード」により特定されるコンテンツが記憶装置１７４内に存在する「次再生情報コード１」〜「次再生情報コード８」の数だけ、順に「１」、「２」、・・・の番号を付随させながら表示される。図１４の例では、「次再生情報コード１」から「次再生情報コード４」までに「情報コード」が設定され、かつ対応するコンテンツが存在するので、「１」〜「４」の番号が付された４つの遷移ボタン１４２が表示されている。
【００４６】
上述の表示部分１４１において表示されている「１．くらし情報」、「２．お店の情報」、「３．ロードサイドサービス」、及び「４．駐車場案内」はそれぞれ上述の「１」〜「４」の番号が付された各遷移ボタン１４２を押下した場合に再生される次のコンテンツの概要を示すものとなっている。つまり、このように表示部分１４１の表示内容と各遷移ボタン１４２とが対応するように、「表示画像データ」（ＩＤ＝１０）及び「次再生情報コード１」〜「次再生情報コード８」（ＩＤ＝３０）が、当該コンテンツにおいて設定されている。
【００４７】
遷移ボタン１４２のいずれかが押下されると、ＩＴＳ車載器１７は、当該遷移ボタン１４２に対応する「次再生情報コード１」〜「次再生情報コード４」のいずれかの設定内容と同一の「情報コード」（ＩＤ＝０２）を有するコンテンツを検索し、そのコンテンツを再生する。つまり、検索されたコンテンツの対象地点情報（ＩＤ＝１０）中の「表示画像データ」及び「遷移情報」（ＩＤ＝３０）が設定されていれば、これらの設定内容に基づく画面に遷移する。このようにして、遷移情報（ＩＤ＝３０）の設定内容に従い、コンテンツの画面を順次遷移させながら、各コンテンツを再生させることができるようになっている。
【００４８】
ところで、ＩＴＳ車載器１７が受信するコンテンツにおいては有効期限（ＩＤ＝０４）が設定可能であり、ＩＴＳ車載器１７においては、設定されている有効期限が終了したコンテンツも記憶装置１７４において保持するようにしているが、電源が投入されたとき、保持しているコンテンツのうち、有効期限が終了したものについては、コンテンツデータ中の所定のものを削除し、コンテンツが占める総データ量を小さくするようにしている。所定のデータとしては「対象地点情報」（ＩＤ＝１０）における「表示画像データ」、さらには「情報提供地点１」〜「情報提供地点５」（ＩＤ＝２０）のデータが該当する。
【００４９】
「表示画像データ」（ＩＤ＝１０）はコンテンツの画面表示に使用されるものであり、このデータには、図１４のように、次のコンテンツの内容に関する情報を各遷移ボタン１４２に対応させて表示するための画像データが含まれている。このため、「表示画像データ」（ＩＤ＝１０）を削除すると、次のコンテンツの情報が表示されなくなるので、ユーザによる遷移ボタン１４２の選択に支障をきたす。つまり、図１４のコンテンツ画面の例でいえば、遷移ボタン１４２は表示されているが、「１．くらし情報」〜「４．駐車場情報」の表示がない状態となり、各遷移ボタン１４２の機能が不明となる。そこでかかる不都合を回避するため、次の２つの方法のうちのいずれか又は双方の措置を講ずるようにしている。
【００５０】
第１の方法は、「遷移情報」（ＩＤ＝３０）を構成する「次再生情報コード１」、「次再生情報コード２」、・・・に合致する「情報コード」（ＩＤ＝０２）を有するコンテンツを検索し、そのコンテンツにおける「企業表示テキスト」（ＩＤ＝０２）や「情報表示テキスト」（ＩＤ＝０２）を使用して遷移ボタンを表示するというものである。この方法は、配信されるコンテンツにおけるデータ形式を変更する必要なく、ＩＴＳ車載器１７において実施することができる。
【００５１】
図１５は該第１の方法により遷移ボタンが表示されたコンテンツの画面の一例を示す。図中の１５１は画面上に表示された遷移ボタンである。各遷移ボタン１５１上には、その遷移ボタン１５１の押下により再生される次のコンテンツの「企業表示テキスト」（ＩＤ＝０２）や「情報表示テキスト」（ＩＤ＝０２）の内容が表示されている。この表示により、「表示画像データ」（ＩＤ＝１０）が削除され、該データに基づく表示がなされていない場合でも、ユーザは各遷移ボタン１５１の押下によりどのようなコンテンツの画面に遷移するかを理解することができ、押下すべき遷移ボタン１５１を支障なく決定することができる。
【００５２】
第２の方法は、配信するコンテンツにおける「対象地点情報」（ＩＤ＝１０）の「表示用文字データ」として、各遷移ボタンの説明を設定しておくというものである。この方法はサーバ１２側で対応する必要がある。この場合、当該コンテンツの配信を受けたＩＴＳ車載器１７において、「表示画像データ」（ＩＤ＝１０）が削除されたとしても、「表示用文字データ」（ＩＤ＝１０）の内容が、各遷移ボタンの説明として表示されることになる。
【００５３】
図１６はこの第２の方法により遷移ボタンの説明が表示されたコンテンツの画面の一例を示す。図中の１６１は「表示用文字データ」（ＩＤ＝１０）に基づいて表示された文字列であり、１６２は「遷移情報」（ＩＤ＝３０）の設定内容に基づいて表示された遷移ボタンである。遷移ボタン１６２は内容が設定されている「次再生情報コード１」、「次再生情報コード２」、・・・の数だけ表示され、順に「１」、「２」、・・・の番号が付随して表示される。文字列１６１には、各遷移ボタン１６２に付された「１」、「２」、・・・の番号に対応した説明が含まれる。図１６の場合、「１」〜「４」の番号が付された４つの遷移ボタン１６２のそれぞれに対応する、「１．くらし情報」〜「４．駐車場案内」の説明が表示されている。「表示画像データ」（ＩＤ＝１０）が削除された場合でも、ユーザは文字列１６１による説明に基づき、各遷移ボタン１６２によってどのようなコンテンツに遷移することができるかを理解し、所望の遷移ボタン１６２を選択することができる。
【００５４】
一方、「情報提供地点１」〜「情報提供地点５」（ＩＤ＝２０）を削除する場合には、有効期限が終了しているコンテンツのＩＤ＝２０のデータはすべて削除する。ＩＤ＝２０のデータは、ＩＴＳ車載器１７が、いずれかの「情報提供地点１」〜「情報提供地点５」により特定される情報提供地点に到達した際に、そのいずれかの「情報提供地点１」〜「情報提供地点５」中の「表示画像データ」等に基づいてポップアップ再生を行うためのものであるため、有効期限が終了している場合には、そのようなポップアップは意味をなさなくなっている場合が多いからである。
【００５５】
さらに「対象地点情報」（ＩＤ＝１０）中の「アイコン表示画像データ」については、有効期限が終了していなくても、最新でないコンテンツの「アイコン表示画像データ」である場合には削除する。つまり、コンテンツを特定する「情報コード」（ＩＤ＝０２）としては、同じ情報の提供に係る各コンテンツであって内容の更新のみが行われた各コンテンツに対しては同一のものを割り当てるのが好ましいとされているので、「情報コード」が同一であって順次更新されたコンテンツのデータが、記憶装置１７４において複数存在し得る。そして、「アイコン表示画像データ」はそれを含むコンテンツに関連してサービスの提供が可能な場所を示すアイコンを、ナビゲーション機能に基づいて表示される地図上に表示するための画像データであるため、「情報コード」毎に最新のものが１つあれば十分だからである。
【００５６】
図１７は上述のＩＴＳ車載器１７における起動時処理のフローチャートである。この処理は電源が投入され、ＩＴＳ車載器１７が起動されたときに行われる。この処理においては、上述のように、保存しているすべてのコンテンツのうち、有効期限が終了しているものについて、コンテンツを構成するデータのうちの所定のものが削除される。すなわち処理を開始すると、ＩＴＳ車載器１７は、まずステップＳ７１において、記憶装置１７４において記憶しているすべてのコンテンツのうち、最も小さい「サービス事業者コード」（ＩＤ＝０１）を有するコンテンツ群を、確認サービス事業者コンテンツとしてピックアップする。
【００５７】
次に、ステップＳ７２において、確認サービス事業者コンテンツのうち、最も小さい「情報コード」（ＩＤ＝０２）を有するコンテンツを、確認コンテンツとしてピックアップする。次に、ステップＳ７３において、確認コンテンツにおいて「有効期限」（ＩＤ＝０４）が設定されているかどうかを判定する。設定されていないと判定した場合にはステップＳ７６へ進む。設定されていると判定した場合にはステップＳ７４において、確認コンテンツの有効期限は終了しているか否かを判定する。この判定は、現在の時刻が、確認コンテンツの「有効期限」（ＩＤ＝０４）において設定されている「終了年月日時分」を経過しているか否かにより行う。経過している場合には有効期限が終了したと判定する。有効期限が終了してはいないと判定した場合にはステップＳ７６へ進む。有効期限が終了したと判定した場合には、ステップＳ７５において、確認コンテンツ中の所定のデータを削除する処理を行い、ステップＳ７６に進む。
【００５８】
ステップＳ７５のデータ削除処理においては、図１８に示すように、確認コンテンツの「対象地点情報」（ＩＤ＝１０）における「表示画像データ」を削除するか、又は図１９に示すように、確認コンテンツの「情報提供地点１」〜「情報提供地点５」（ＩＤ＝２０）をすべて削除する。ただし、これらのデータのうちのいずれかが設定されていない場合もあるので、その場合には削除を要しない。また、図１８及び図１９の処理の双方を行うようにしてもよい。
【００５９】
ステップＳ７６では、確認サービス事業者コンテンツ中に確認コンテンツの「情報コード」（ＩＤ＝０２）よりも大きい「情報コード」を有するコンテンツが存在するかどうかを判定する。存在しないと判定した場合にはステップＳ７８へ進む。存在すると判定した場合にはステップＳ７７において、確認サービス事業者コンテンツのうち確認コンテンツの次に小さい「情報コード」を有するコンテンツを確認コンテンツとしてピックアップし、ステップＳ７３へ戻る。
【００６０】
ステップＳ７８では、記憶装置１７４において保存しているコンテンツ中に、確認サービス事業者コンテンツの「サービス事業者コード」（ＩＤ＝０１）よりも大きい「サービス事業者コード」を有するコンテンツが存在するか否かを判定する。存在すると判定した場合には、ステップＳ７９において、保存しているすべてのコンテンツのうち、確認サービス事業者コンテンツの「サービス事業者コード」の次に小さい「サービス事業者コード」を有するコンテンツ群を、確認サービス事業者コンテンツとしてピックアップし、ステップＳ７２に戻る。ステップＳ７８において該当するコンテンツが存在しないと判定した場合には図１７の処理を終了する。
【００６１】
図２０はＩＴＳ車載器１７におけるコンテンツ表示処理を示すフローチャートである。この処理においてはコンテンツのデータ内容に応じ、ビデオや、上述図１４〜図１６において例示したようなコンテンツ画面が表示される。処理を開始すると、ＩＴＳ車載器１７は、まずステップＳ２０１において、再生対象とされたコンテンツにおいて「ビデオデータ」（ＩＤ＝１０）が設定されているか否かを判定する。設定されていると判定した場合にはステップＳ２０２において、設定されているデータに基づき、ビデオの再生を行い、ステップＳ２０７へ進む。
【００６２】
ステップＳ２０１において「ビデオデータ」が設定されていないと判定した場合には、ステップＳ２０３において、当該コンテンツに「表示画像データ」（ＩＤ＝１０）が設定されているか否かを判定する。設定されていると判定した場合にはステップＳ２０４において、設定されているデータに基づき、画像の表示を行い、ステップＳ２０７へ進む。
【００６３】
ステップＳ２０３において「表示画像データ」が設定されていないと判定した場合には、ステップＳ２０５において、当該コンテンツに「表示用文字データ」（ＩＤ＝１０）が設定されているか否かを判定する。設定されていると判定した場合にはステップＳ２０６において、設定されているデータに基づき、文字の表示を行い、ステップＳ２０７へ進む。
【００６４】
ステップＳ２０５において「表示用文字データ」が設定されていないと判定した場合には、ステップＳ２０８において、遷移ボタン生成処理１を行い、図２０の処理を終了する。遷移ボタン生成処理１は、上述の「表示用文字データ」（ＩＤ＝１０）が削除されている場合の不都合を回避する第１の方法に従って遷移ボタンを表示する処理である。
【００６５】
ステップＳ２０７においては、遷移ボタン生成処理２を行い、図１９の処理を終了する。遷移ボタン生成処理２は上述の「表示画像データ」（ＩＤ＝１０）が削除されている場合の不都合を回避する第２の方法に対応するボタン生成処理である。この第２の方法はサーバ１２側でのみ対処するものであるため、遷移ボタン生成処理２は、「表示画像データ」が削除されていない場合に遷移ボタンを表示するときの処理と同じものであり、「表示画像データ」が削除されていない場合においても適用される。すなわち、「表示画像データ」が削除されていない場合には、ステップＳ２０３、Ｓ２０４、及びＳ２０７のルートで処理が行われ、「表示画像データ」が削除されている場合にはステップＳ２０５、Ｓ２０６、及びＳ２０７のルートで処理が行われる。この場合、ステップＳ２０６の処理においては、各遷移ボタンの説明が図１６の文字列１６１の場合と同様にして表示される。
【００６６】
「表示画像データ」が削除されている場合に図１６のような表示を実現するために、路側装置１５においては、配信するコンテンツを構成するデータを作成するに際し、コンテンツを構成するデータには、該コンテンツの次に再生可能なコンテンツを特定する遷移情報（ＩＤ＝３０）や、該次のコンテンツに関する情報を表示するための「表示画像データ」（ＩＤ＝１０）等に加え、該次のコンテンツに関する情報を表示するための「表示用文字データ」（ＩＤ＝１０）が含められる。
【００６７】
図２１（ａ）は図２０のステップＳ２０８における遷移ボタン生成処理１を示すフローチャートである。処理を開始すると、まず、ステップＳ２１１において、次再生情報コードカウンタＮに「１」を設定する。このカウンタＮの内容は、再生中のコンテンツの「遷移情報」（ＩＤ＝３０）における「次再生情報コード１」〜「次再生情報コード８」中の番号「１」〜「８」に対応する。
【００６８】
次に、ステップＳ２１８においてカウンタＮをインクリメントしながら、カウンタＮが８を超えるまで、ステップＳ２１２〜Ｓ２１８の処理を繰り返す。すなわち、ステップＳ２１２において、再生中のコンテンツの「遷移情報」（ＩＤ＝３０）におけるＮ番目の「次再生情報コードＮ」において次に再生可能なコンテンツの情報コードが登録されているか否かを判定する。登録されていないと判定した場合には、ステップＳ２１８においてカウンタＮをインクリメントし、カウンタＮが８を超えていない場合には再度、ステップＳ２１２の判定を繰り返す。
【００６９】
ステップＳ２１２において「次再生情報コードＮ」の登録がなされていると判定した場合にはステップＳ２１３において、登録されている情報コードと同一の情報コードが「情報提供企業情報」（ＩＤ＝０２）の「情報コード」において設定されているコンテンツを検索する。次に、ステップＳ２１４において、該検索によりヒットしたコンテンツが存在するか否かを判定する。存在しないと判定した場合にはステップＳ２１８においてカウンタＮをインクリメントし、カウンタＮが８を超えていない場合には再度、ステップＳ２１２の判定を繰り返す。ヒットしたコンテンツが存在すると判定した場合には、ステップＳ２１５において、遷移ボタンの図形を表示部１７７において生成する。
【００７０】
次に、ステップＳ２１６において、生成した遷移ボタンに対し、Ｎ番目の「次再生コードＮ」に登録されている情報コードを関連付ける。次に、ステップＳ２１７において、ステップＳ２１３の検索でヒットしたコンテンツの「情報提供企業情報」（ＩＤ＝０２）における「企業表示テキスト」や「情報表示テキスト」を、生成した遷移ボタン上に表示する。これにより、「次再生情報コードＮ」に対応する遷移ボタンの表示が完了する。この後、ステップＳ２１８においてカウンタＮをインクリメントし、カウンタＮが８を超えていない場合には再度、ステップＳ２１２の判定を繰り返す。カウンタＮが８を超えた場合には図２１の処理を終了する。
【００７１】
これにより、図１５において遷移ボタン１５１として例示されるような各遷移ボタンの表示が完了する。ユーザは各遷移ボタン上に表示された文字により表される内容を手がかりにしていずれかの遷移ボタンを押下することにより、対応する次のコンテンツを表示させることができる。
【００７２】
図２１（ｂ）は図２０中のステップＳ２０７における遷移ボタン生成処理２を示すフローチャートである。図中のステップＳ２２１〜Ｓ２２６及びＳ２２８の処理は、図２１のステップＳ２１１〜Ｓ２１６及びＳ２１８の処理と同じである。ステップＳ２２７においては、ステップＳ２２５において生成され、ステップＳ２２６においてＮ番目の「次再生情報コードＮ」に対応付けられた遷移ボタン図形上に、カウンタＮの内容「Ｎ」の表示が付加される。これにより「次再生情報コードＮ」に対応する遷移ボタンの表示が完了する。
【００７３】
この図２１（ｂ）の処理が終了すると、図１６において遷移ボタン１６２として例示されるような各遷移ボタンの表示が完了する。ユーザは図２０のステップＳ２０６において表示された文字列１６１中の各遷移ボタン１６２の説明を手がかりにしていずれかの遷移ボタン１６２を押下することにより、対応する次再生情報コードのコンテンツを表示させることができる。
【００７４】
図２２はＩＴＳ車載器１７においてコンテンツの受信を完了したときに行われる処理を示すフローチャートである。この処理は、上述の最新でないコンテンツの「対象地点情報」（ＩＤ＝１０）における「アイコン表示画像データ」を削除する処理である。すなわち処理を開始すると、ＩＴＳ車載器１７は、まず、ステップＳ２３１において、受信したコンテンツの「サービス事業者コード」（ＩＤ＝０１）と同一の「サービス事業者コード」を有するコンテンツを保持しているか否かを判定する。保持していないと判定した場合にはそのまま図２２の処理を終了する。
【００７５】
保持していると判定した場合には、ステップＳ２３２において、受信したコンテンツの「情報提供企業情報」（ＩＤ＝０２）における「情報コード」と同一の「情報コード」を有するコンテンツが、当該同一の「サービス事業者コード」を有する各コンテンツ中に存在するかどうかを判定する。存在しないと判定した場合にはステップＳ２３４に進む。存在すると判定した場合にはステップＳ２３３において、当該同一の「情報コード」を有する各コンテンツ中の「アイコン表示画像データ」（ＩＤ＝１０）をすべて削除し、ステップＳ２３４に進む。
【００７６】
ステップＳ２３４では、受信したコンテンツと同一の「サービス事業者コード」（ＩＤ＝０１）を有する他のコンテンツを保持しているかどうかを判定する。保持していると判定した場合にはステップＳ２３１に戻り、当該他の各コンテンツを対象として同様の処理を繰り返す。保持していないと判定した場合には、図２２の処理を終了する。
【００７７】
本実施形態によれば、有効期限が終了したコンテンツにおける「表示画像データ」（ＩＤ＝１０）や「情報提供地点１」〜「情報提供地点５」のデータ、さらには「サービス事業者コード」（ＩＤ＝０１）及び「情報コード」（ＩＤ＝０２）が一致するコンテンツのうちの最新のもの以外のものにおける「アイコン表示画像データ」（ＩＤ＝１０）を削除するようにしたため、有効期限が終了したコンテンツを保持しておく場合でも、記憶装置１７４における記憶容量を節約することができる。
【００７８】
また、再生しようとするコンテンツのデータにおいて「表示画像データ」（ＩＤ＝１０）が削除されている場合には、該コンテンツの再生に際し、該コンテンツの遷移情報（ＩＤ＝３０）に基づき、次に再生可能なコンテンツの再生画面に遷移するための遷移ボタンを表示するとともに、該次に再生可能なコンテンツの「情報提供企業情報」（ＩＤ＝０２）における「企業表示テキスト」や「情報表示テキスト」を取得し、該遷移ボタンに付随させて表示するようにしたため（ステップＳ２１７）、「表示画像データ」（ＩＤ＝１０）が削除された場合（ステップＳ７５）の不都合を解消することができる。
【００７９】
また、路側装置１５において、コンテンツを構成するデータを作成する際に、コンテンツを構成するデータには、該コンテンツの次に再生可能なコンテンツを特定する「遷移情報」（ＩＤ＝３０）や、該次のコンテンツに関する情報を表示するための「表示画像データ」（ＩＤ＝１０）に加え、該次のコンテンツに関する情報を表示するための「表示用文字データ」（ＩＤ＝１０）を含めるようにしたため、ＩＴＳ車載器１７は、配信を受けたコンテンツの「表示画像データ」（ＩＤ＝１０）が削除されている場合でも（ステップＳ７５）、該コンテンツの再生に際し、該コンテンツの「表示用文字データ」（ＩＤ＝１０）に基づいて、次に再生可能なコンテンツに関する情報を遷移ボタンに対応させて表示することができる。
【００８０】
なお、本発明は上述実施形態に限定されることなく、適宜変形して実施することができる。たとえば、上述においては、有効期限が終了したコンテンツにおける「表示画像データ」（ＩＤ＝１０）、有効期限が終了したコンテンツにおける「情報提供地点１」〜「情報提供地点５」のデータ、さらには「サービス事業者コード」（ＩＤ＝０１）及び「情報コード」（ＩＤ＝０２）が一致するコンテンツのうちの最新のもの以外のものにおける「アイコン表示画像データ」（ＩＤ＝１０）を削除する例について説明したが、これらのデータの削除は、これらのデータのうちの任意の１つについて、又は２以上のものの組合せについて行うことができる。
【００８１】
また、上述図１８の処理の代わりに、図２３で示される処理を採用するようにしてもよい。すなわち、「対象地点情報」（ＩＤ＝１０）中の「項目有無情報」におけるマルチメディアフラグ（ＩＤ＝１０）がオフであるかどうかを判定し（ステップＳ２４１）、オフである場合にのみ、「表示画像データ」（ＩＤ＝１０）を削除する（ステップＳ２４２）ようにしてもよい。マルチメディアフラグがオンである場合には、「表示画像データ」や「ビデオデータ」がＣＤのジャケット写真であったり、ＰＶ（プロモーションビデオ）であったりする可能性があるからである。
【００８２】
また、上述においては、有効期限が終了したコンテンツを削除する場合の削除の対象として、「対象地点情報」（ＩＤ＝１０）については、「表示画像データ」を対象としているが、この代わりに、又はこれに加えて「ビデオデータ」を削除の対象とするようにしてもよい。この場合においても、「対象地点情報」（ＩＤ＝１０）中の「項目有無情報」におけるマルチメディアフラグ（ＩＤ＝１０）がオンである場合には、「表示画像データ」や「ビデオデータ」がＣＤのジャケット写真であったり、ＰＶ（プロモーションビデオ）であったりする可能性があるので、「表示画像データ」や「ビデオデータ」の削除は行わないようにしてもよい。
【図面の簡単な説明】
【００８３】
【図１】本発明の一実施形態に係る路車間ＤＳＲＣシステムの概略図である。
【図２】タウンカーライフナビマルチコンテンツ形式のデータ伝送態様の説明図である。
【図３】タウンカーライフナビマルチコンテンツデータにおける情報グループの構成について各ＩＤが必須か任意かを示す図である。
【図４】タウンカーライフナビマルチコンテンツデータの各ＩＤに割り当てられた内容を示す分類表である。
【図５】図４の表の続きを示す図である。
【図６】図５の表の続きを示す図である。
【図７】図６の表の続きを示す図である。
【図８】路側装置及びＩＴＳ車載器間のトランザクションで実施される各機器間の通信及び処理を示す図である。
【図９】ＩＴＳ車載器から路側装置へ送られるアップリンク情報のデータ説明図である。
【図１０】タウンカーライフナビマルチコンテンツデータにおけるＩＤ＝８０の嗜好データの一例をテーブル表現した説明図である。
【図１１】路側装置から嗜好データを受信したＩＴＳ車載器がナビ部の表示器に表示するチェック付けの画面の一例を示す図である。
【図１２】図１のシステムにおける路側機の構成を示すブロック図である。
【図１３】図１のシステムにおけるＩＴＳ車載器の構成を示すブロック図である。
【図１４】図１４のＩＴＳ車載器において表示されるコンテンツ画面の一例を示す図である。
【図１５】図１４のＩＴＳ車載器において表示される「表示画像データ」（ＩＤ＝１０）が削除された場合のコンテンツ画面の一例を示す図である。
【図１６】図１４のＩＴＳ車載器において表示される「表示画像データ」（ＩＤ＝１０）が削除された場合のコンテンツ画面の別の例を示す図である。
【図１７】図１４のＩＴＳ車載器における起動時処理のフローチャートである。
【図１８】図１７の処理におけるデータ削除処理のフローチャートである。
【図１９】図１７の処理におけるデータ削除処理の別のフローチャートである。
【図２０】図１４のＩＴＳ車載器におけるコンテンツ表示処理を示すフローチャートである。
【図２１】図２０の処理における遷移ボタン生成処理１及び遷移ボタン生成処理２を示すフローチャートである。
【図２２】図１４のＩＴＳ車載器における受信完了時処理を示すフローチャートである。
【図２３】図１８の処理に代えて用いることができる処理を示すフローチャートである。
【符号の説明】
【００８４】
１０：路車間ＤＳＲＣシステム、１１：路側機、１２：サーバ、１３：自動車、１７：ＩＴＳ車載器、１８：ＤＳＲＣ部、１９：ナビ部、２０：ＩＴＳ通信網、２３：スクロールバー、１１１：制御部、１１２：ＲＯＭ、１１３：ＲＡＭ、１１４：記憶装置、１１５：無線通信部、１１６：通信制御部、１４１：表示部分、４１２：遷移ボタン、１５１：遷移ボタン、１６１：文字列、１６２：遷移ボタン、１７１：制御部、１７２：ＲＯＭ、１７３：ＲＡＭ、１７４：記憶装置、１７５：通信部、１７５ａ：ＧＰＳモジュール、１７５ｂ：ＤＳＲＣモジュール、１７６：操作部、１７７：表示部、１７８：マイク、１７９：スピーカ、１８０：音声処理部、１８１：センサ群、１８２：入出力装置。
【図１】
2010039755.tif 000003
【図２】
2010039755.tif 000004
【図３】
2010039755.tif 000005
【図４】
2010039755.tif 000006
【図５】
2010039755.tif 000007
【図６】
2010039755.tif 000008
【図７】
2010039755.tif 000009
【図８】
2010039755.tif 000010
【図９】
2010039755.tif 000011
【図１０】
2010039755.tif 000012
【図１１】
2010039755.tif 000013
【図１２】
2010039755.tif 000014
【図１３】
2010039755.tif 000015
【図１４】
2010039755.tif 000016
【図１５】
2010039755.tif 000017
【図１６】
2010039755.tif 000018
【図１７】
2010039755.tif 000019
【図１８】
2010039755.tif 000020
【図１９】
2010039755.tif 000021
【図２０】
2010039755.tif 000022
【図２１】
2010039755.tif 000023
【図２２】
2010039755.tif 000024
【図２３】
2010039755.tif 000025